Podtech/llm-jp-corpus-v4-ja_patent huggingface dataset:
(57)【要約】【課題】陰茎の直径と硬さ及び物理的刺激を増やすことができるコンドームを提供する。【解決手段】突起が布設され、粘着性及び通気性を有する張り紙と、コンドームとを含み、前記張り紙は男性の陰茎が勃起した後に亀頭の下側に貼り付けられ、その後コンドームを取り付けることにより、前記突起が覆い被されて一体成型されてあるかのように構成されるコンドームであることを特徴とする。【選択図】  図３
2008188408.tif 000002
【特許請求の範囲】
【請求項１】
突起が布設され、粘着性及び通気性を有する張り紙と、コンドームとを含み、
前記張り紙は男性の陰茎が勃起した後に亀頭の下側に貼り付けられ、その後コンドームを取り付けることにより、前記突起が覆い被されて一体成型されてあるかのように構成されることを特徴とする、コンドーム。
【請求項２】
突起が布設され、粘着性及び通気性を有する張り紙と、コンドームとを含み、
前記張り紙は男性の陰茎が勃起した後に亀頭の下側に貼り付けられ、その後コンドームを取り付けることにより、前記突起が覆い被されて一体成型されてあるかのように構成されるコンドームであって、
前記張り紙は粘着テープまたは紙テープまたは布テープまたは一般テープでもよく、または軟質プラスチック、または天然ゴムまたはその他軟質材料で、かつ突起のある環状テープに作られたものを特徴とする、コンドーム。
【請求項３】
前記突起の大きさ、硬軟質は自由に変更することができて幅の違った陰道に適応されるものを特徴とする、請求項１記載のコンドーム。
【請求項４】
前記コンドームの両端は開口状であり、または一端だけが開口状であるものを特徴とする請求項１記載のコンドーム。
【請求項５】
前記突起が前記環形の張り紙に一体成型されてあることを特徴とする、請求項１記載のコンドーム。
【発明の詳細な説明】
【技術分野】
【０００１】
本発明は性機能を補助するコンドームに関するもので、特に女性が性行為において陰茎の直径と硬さが増したように感じさせ、かつ突起の存在を感じて敏感さと物理的刺激を増すことができるコンドームに関する。
【背景技術】
【０００２】
現在市販されてあるコンドームには表面に微細の荒い面を設け加えて敏感さを増やすものがあるが、その効果はよくなく、その中に粒子をコンドーム上に設置するのを試みたものもあるが、コンドームは機器生産の過程において粒子を設置することができなく、かつそれの最大の問題は検査に合格したピンホールテスト（Electronic Testing(Dry Doka)）と、水または空気の爆破テスト（CPR Lab and Air Burst Test ）を通過することができなければならない。これらのテストは性病の予防または避妊に必要なテストである。
【０００３】
その他の方法として知られる玉入れ方式は手術を行わなければならないので危険性があり、糖尿病のある患者は更にできなく、かつ手術が失敗したら不能または潰瘍になる恐れがあり、陰茎に玉入れするとサイズは均一であり、直径の違った陰道に適応することができなくいほか、再手術して取り出さなければならなく、費用と身体を傷つけてしまう。
【０００４】
更に、医学的調査によれば、東洋黄色人種の陰茎のサイズは西洋白色人種より小さいが、西洋白色人種の陰茎は東洋黄色人種のように硬くなく、この場合双方は円満な性生活を得ることができないのも原因の一つである。
【発明の開示】
【発明が解決しようとする課題】
【０００５】
本発明は前記男性の陰茎の硬さ、適当な直径と適当な長さが最も理想であることに鑑み、陰茎の直径と硬さ及び物理的刺激を増やすことができるコンドームを提供する。
【課題を解決するための手段】
【０００６】
本発明は、主に、突起が布設されてある粘着性通気張り紙を環形にして勃起した亀頭の下側適当個所に貼り付け、それからコンドームを取り付け、この場合コンドーム内には突起が覆い被されているので、硬軟適中の突き出し粒子があるようになって一体成型されたコンドームのようになる。
【０００７】
すなわち、本発明のコンドームは、突起が布設され、粘着性及び通気性を有する張り紙と、コンドームとを含み、前記張り紙は男性の陰茎が勃起した後に亀頭の下側に貼り付けられ、その後コンドームを取り付けることにより、前記突起が覆い被されて一体成型されてあるかのように構成されることを特徴とする。
【発明の効果】
【０００８】
本発明によれば男性、女性ともに一般的な性機能の回復に寄与する。
【発明を実施するための最良の形態】
【０００９】
本発明の実施例を図面に示す最適実施例によって詳しく説明する。
【００１０】
図１、２、３、４、５に示すように、本発明の主要は粘着性通気張り紙１に複数の突起２が布設され、前記複数の突起２が布設された粘着性張り紙１は離型紙３に貼り付けられている。
【００１１】
前記粘着性通気張り紙１は実施例において、粘着テープ（例えば市販の３Ｍ絆創テープ、または一般のテープ、または軟質プラスチックまたは天然ゴムを型で環形テープに作られたもの）を採用してもよい。
【００１２】
前記突起２は実施例において、いかなる硬質、軟質材料を採用し、かつ突起の大きさを変更することができる。
【００１３】
本発明が使用される場合（図２、図３）、突起２が布設されてある粘着性通気張り紙１を環形にして勃起した陰茎の亀頭下側適当位置に貼り付け、それからコンドーム４を取り付け、この場合コンドームは突起を覆い被さっているので、硬軟適中の突き出し粒子のある一体成型されたコンドームのようになる。
性行為が行われる場合、突起は陰道６と陰茎５の間に挟まれているので、女性は陰茎の直径と硬さが増すことを感じ、かつ突起の圧迫を感じることができる。
【００１４】
同時に男性も突起が陰茎の回りについているので径が増加し引き締まりを感じることができる。
【００１５】
前記コンドーム４は実施例において、需要によって両端が開口状であるもの、または一端だけが開口状であるものを採用することができる。
【００１６】
以上をまとめると、本発明の陰茎の直径と硬さ及び物理的刺激を増やすことができるコンドームは、粘着性通気張り紙に複数の突起が布設されて構成され、陰茎が勃起したら陰茎の亀頭下側適当位置に回して貼り付けて性の営みに使用することができる。
【図面の簡単な説明】
【００１７】
【図１】本発明の立体図である。
【図２】本発明の両端が開口状であるコンドームを使用した実施例の説明図である。
【図３】本発明の一端だけが開口状であるコンドームを使用した実施例の説明図である。
【図４】本発明の断面図である。
【図５】本発明の使用状態の断面図である。
【符号の説明】
【００１８】
１      粘着性通気張り紙
２      突起
３      離型紙
４      コンドーム
５      陰茎
６      陰道
【図１】
2008188408.tif 000003
【図２】
2008188408.tif 000004
【図３】
2008188408.tif 000005
【図４】
2008188408.tif 000006
【図５】
2008188408.tif 000007
(57)【要約】【課題】  弾力素材を最大限に生かし、弾力で足の上げ降ろしを快適にさせると同時に、歩巾を大きく取れる事によって、歩み、又は走りが従来より早く行なえる。それでいて身体の負担を軽減する事を目的とする【解決手段】  接地面を少なくする為、点にしぼり、円状又はＶ状の靴底を形成し、最大の弾力をもたせる方法として、弾力素材内に空気室、又は発泡材を取り付ける。【選択図】図１
2008188407.tif 000002
【特許請求の範囲】
【請求項１】
接地面を点でさゝえる為、円状又は、Ｖ状に、弾力素材で形成されると共に均一な沈みを得る為、菱型の空気室をその弾力素材内に取り付ける事を特徴とする円状又はＶ状に形成された運動靴の底
【発明の詳細な説明】
【技術分野】
【０００１】  本発明は、軸足を地面に固定化する事が出来たり、身体に負担をかけずに、足の上げ降しが楽に、しかも歩巾が、大きく取れるようになる、円状又はＶ状に形成された運動靴の底に関するものである。
【背景技術】
【０００２】  従来、いろいろと研究され用途に応じた運動靴、日常の履き物が、たくさん、世の中に送り出されている。
【発明の開示】
【０００３】  しかし、従来の運動靴、履き物は、どれも接地面が多く、しかも、平である為、足をローリング際振動、衝撃が身体にじかに伝わりやすい。又、バッティング、スイングをする時、つま先に力を入れて踏んばろうとすると、接地面が平面である為、踏みこたえれず、すべり身体と共に軸足がまわる為、身体が開きヘットアップする事が多かった。
【０００４】  本発明はその欠点を除去すべく、菱型の空気室を内蔵した弾力素材で、円状又はＶ状を形成した靴底を作り、従来ある運動靴の底に取り付ける。バッティング、スイングをする時、身体が、開く事を防ぎさらに、足をローリングする際に、身体に負担をかける事なく、歩巾も大きく取れる運動靴を開発しようとするものである。
【課題を解決する為の手段】
【０００６】  請求項１に記載の発明は、接地面を少なくする為に、弾力素材で円状又はＶ状に形成した靴底に、菱型の空気室を取り付ける。
【０００７】  その靴底を従来の運動靴の底に取り付ける
【０００８】  弾力素材で形成した円状又は、Ｖ状の靴底の内部に、取り付けた菱型の空気室は、どのような型でもよく、限定されない。又、空気室のみならず、発泡材を使用しても同様の効果が得られる。
【発明の効果】
【０００９】  本発明の靴底を従来の運動靴の底に取り付けて、バッティング、スイングの時、使用すると、空気室の菱型が重みで均一に沈み、弾力素材の接地面積が広がり、地面にすいつく為、軸足がまわらず身体が開かない。よって、ヘットアップせず正確にボールを取らえる事が出来、飛距離を伸ばす事が出来た。
【００１０】  本発明の靴底をウォーキング用の靴に取り付けて、使用したら、足の上げ降しが弾力で快適に感じられ、さらに歩巾が大きく取れた。
【００１１】  従来の靴なら、１００歩のところを本発明の靴底を使用したら、９０歩で歩く事が出来た。
【発明を実施する為の最良の形態】
【００１２】  以下、本発明の円状又はＶ状に形成された運動靴の底を図面に基づいて詳細に説明する。
【００１３】  図１は、本発明、円状又はＶ状に形成された運動靴の底を従来の運動靴の底に取り付けた側面図、  図２は、平面図
【００１４】  Ａは、円状又はＶ状の靴底の形状、  Ｂは、弾力素材の靴底  Ｃは空気室、又は発泡材
【００１５】  Ｂの形態は、かならずしも菱型と限らずどんな型であろうと、かまわない。又、靴底を、何ら取り付けようが、限定されるものではない。
【産業上の利用可能性】
【００１６】  運動靴にかぎらず、履き物すべてに取り付けて、使用したい。ウォーキングシューズ、仕事用靴、室内ばきなどにも取り付け可能である。
【図面の簡単な説明】
【００１７】
【図１】  本発明を運動靴の底に取り付けた側面図
【図２】  本発明を運動靴の底
【符号の説明】
【００１８】  Ａは円状又はＶ状
Ｂは弾力素材
Ｃは空気室又は発泡材
【図１】
2008188407.tif 000003
【図２】
2008188407.tif 000004
(57)【要約】【課題】火事にあっても焼失しない、又複数の遺族誰でもが墓参り同様の供養が身近に、又社会通念上違和感なく手を合わせ拝むべき故人の記念物が作れないかを課題として研究を進めた。【解決手段】家庭内で故人を拝み、供養する対象物は木製の黒塗りの位牌が主である、又火によって焼失しないものは焼き物である。そこで位牌を上部戒名板と台座部にわけ、台座部に納骨すべき空間が作る事が可能かどうか研究した結果、粘土工作の折、上部と台座部にわけ、台座部に納骨すべき空間をもうける事により、素焼き後に納骨し一体化した後焼成する陶製位牌となる故人の有機記念物が提供できる【選択図】図２
2008188403.tif 000002
【特許請求の範囲】
【請求項１】
台座部に遺骨を収納できる空間を施した位牌。
【請求項２】
陶磁器用粘土にて、上部戒名板と台座部に分離して、素焼きを施した後、遺骨を入れ一体化し、顔料・釉等にて戒名等を記入後、本焼きにて焼成する、故人が唯一、現世に残す有機物含有の位牌の製造方法。
【発明の詳細な説明】
【技術分野】
【０００１】  本発明は、位牌の台座部に遺骨の収納する空間を持たせ、素焼きした後遺骨を入れ一体化し焼成する、陶磁器製位牌に関するものである。
【背景技術】
【０００２】  従来、位牌は葬儀中には形式上作成された俗名を記した木製位牌を奉じて行なわれ、葬儀後、故人の縁ある僧侶にて戒名を得て、喪主側家族が、仏具店等職業上の第三者に単数依頼して、作成された無機質の木製塗位牌が主であり、遺骨も又、喪主側一家族の墓地へ納骨されるのが主である。
【発明の開示】
【発明が解決しようとする課題】
【０００３】  本発明は、故人を偲び供養を望む複数の家族、縁者がいるのに位牌、遺骨が一家族、一墓地という不合理をなくし、縁者誰でもが、故人を身近に置いて供養する方法がないか、又、わが国の供養形態に違和感を持たれずに遺骨を身近に置いて供養できないかを課題として、模索して研究を進めた。
【課題を解決するための手段】
【０００４】  故人を偲ぶにあたり、手を合わせ拝み供養する対象は、無機質な写真であり、位牌である。又、故人が死して火葬後、唯一現世に残すものは有機質の遺骨である。この遺骨を家庭内に違和感なく手を合わせ拝む対象物に納める事ができないか研究、模索した結果、位牌の台座部の形状を変形、変更する事で遺骨の収納が可能である事がわかった。
【発明の効果】
【０００５】  本発明は以上のような構成により、複数の縁者が遠方の墓地に出向くことなく、遺骨が収納された、手を合わせ、拝むべき有機記念物を身近に置き供養する事を可能にし、又、火事にても焼失することなく、今日、墓地の不足化、高額化が進む折、墓地を持てずにいる人々にとっても、あるいは直系の縁者ではない人々にも違和感なく自宅内に安置でき、あるいは庭先の一部にて簡単な社を作り墓の代わりとして奉る事も可能にした位牌です。
【発明の実施するための最良の形態】
【０００６】  最初は木製で製作してみた、これだと大きい位牌であればうまく細工、工作できるのだが、標準的な小さい位牌だと、細工がしにくく壊れやすい、又、火事では焼失してしまう、そこで永代にわたり供養でき、火事の際でも焼失しない焼物で開発を続け、粘土を上部の戒名板と台座にわけ、加工し素焼きを施した後、遺骨を台座に納め一体化し、顔料、釉にて戒名等記入後、本焼きにて焼成する。
【０００７】  焼成に際して一度素焼きを施している為、標準的な窯でもより硬質でひび割れ等が出ない美麗な作品がより低温にてできる様、又、磁器にては長石類、ボーンチャイナにおいては、動物の骨灰の役割として竹炭の粉を長年の研究の結果、素材（粘土）の重量比、１％未満（０．５〜０．８）を混入させて焼成します。竹炭粉は９００度を超えだす頃より灰化がすすみ、素材内の各分子の密着性を高め硬質化をもたらすのです。なぜなら竹炭は炭の中で一番灰分の含有率が高く、又、多孔質である為、粘土の乾燥性を高め、素材の伸縮性を抑え、ひび割れ等を防止する役割をもたらすのです。
【０００８】  又、知人がこの考案にいたく感銘し、後日母親の葬儀に際し、ぜひ自分の分と、とついだ妹の分、２位牌の製作を頼まれ、本方法にて竹炭粉を対陶器粘土重量比０，５％混入して焼成したところ（焼成温度１１５０℃位）大変美麗で磁器のような硬質の遺骨入陶製位牌ができあがり、本人様はもとより、妹様にも実はご主人様から自分にも身近に置いて供養させてくれとの提言を受けたとの事で、大変感謝された次第です。
【０００９】  本発明は、以上の様な構成であるから、遠い墓地や喪主の家へ出向かず、故人の縁者誰でもが、身近にいつでも有機質の故人を偲び供養できるのである。
【図面の簡単な説明】
【００１０】
【図１】  本発明の断面図
【図２】  本発明の上下分離図
【符号の説明】
【００１１】  １は納骨用空洞  ２は上部戒名板  ３は下部台座
【図１】
2008188403.tif 000003
【図２】
2008188403.tif 000004
(57)【要約】      （修正有）【課題】浴室で背中を洗うときに，手が滑らないように両端をしっかりと持てて、背中の凹部も楽に洗えるタオルを提供する。【解決手段】タオルの中央部にスポンジ３を入れ，タオルの両端部に，背中を洗うときに手が滑らないようにグリップエンド１、２を設けた。【選択図】図１
2008188406.tif 000002
【特許請求の範囲】
【請求項１】
タオルの中央に，スポンジを入れ，両端に，グリップエンドを付けた。
【発明の詳細な説明】
【技術分野】
【０００１】本発明は，タオルを両手で，しっかり持てて，背中を洗う時に，楽に洗える。
【背景技術】
【０００２】
【特許文献１】
【特許文献２】
【非特許文献１】
【非特許文献２】
【発明の開示】
【発明が解決しようとする課題】
【０００３】背中を洗う時に，タオルを持って，しっかり洗えないか。
【課題を解決するための手段】
【０００４】タオルの中央にスポンジを入れ，両端に，グリップエンドを付け，巻いた。
【発明の効果】
【０００５】背中を洗う時に，しっかりとタオルを持って，洗い易くなった。
【発明を実施するための最良の形態】
【０００６】背中を洗う時に，タオルの両端を，しっかりと持てて，力を入れて洗えて，手もすべらない。タオルの中央に，スポンジを入れ，両端に，グリップエンドを付け，巻いた。
【実施例】
【０００７】浴室で，背中を洗う時に，楽に洗える様になった。
【産業上の利用可能性】
【０００８】浴室で，ひとりで，背中を楽に洗えるので，利用されると思います。【０００９】グリップエンドの材質は，布，ナイロン，木製，プラスチックなど。【００１０】タオルの本体部分は，布，ナイロン系統と，スポンジを使用。
【図面の簡単な説明】
【００１１】
【図１】（ａ），（ｃ）は平面図。（ｂ），（ｄ）は立面図。１，２はグリップエンドで，丸い球，玉子型，
2008188406.tif 000003
へ，巻込む。４は，全長１００〜１１０ｃｍ位い。５は，継ぎ目，縫い目。６は，糸などで，しばる。
【図１】
2008188406.tif 000004
(57)【要約】【課題】手元にあるストリッパープレートにて容易に抜き打ち加工と同時に反り取り加工を行い、反り取り加工にかかる経費の低減化、および加工コストの低減化を達成できるようにした反り取り機能付ストリッパープレートを提供する。【解決手段】本発明は反り取り機能付ストリッパープレートであって、少なくともストリッパープレートに突起部２を備える事により、てこの原理を利用し反り取り加工を行うことを特徴とし、タレットパンチプレスでの抜き打ち加工と同時に反り取り加工を行うことを可能とした。【選択図】図１
2008188623.tif 000002
【特許請求の範囲】
【請求項１】
タレットパンチプレスでの打ち抜き加工にてワークの打ち抜き加工と同時に、てこの原理によりワークの反り取り加工を行うストリッパープレート
【発明の詳細な説明】
【技術分野】
【０００１】
本発明は、タレットパンチプレスの金型に取り付けるストリッパープレートに関するものである。
【背景技術】
【０００２】
タレットパンチプレスでの打ち抜き加工にて、パンチがワークを打ち抜く際にせん断力と同時に曲げ応力が発生する為、その後ワークがストリッパープレートから開放された時、ワーク内部の応力の為に板に反りが発生することが知られている。
【０００３】
特に幅の狭い長尺物を打ち抜き加工する際に、ワークの反りは顕著に現れ、そのままの状態では次段階の成型加工過程や完成品の状態に支障を来たすことがある。
【０００４】
上記のワークの反りへの対策として従来は、打ち抜き加工後に反り取り作業を行っているが反りを取り除くには非常に手間と労力を必要とする。そして手間と労力はかかるがワークの加工精度を向上するには至らない問題があった。
【発明の開示】
【発明が解決しようとする課題】
【０００５】
解決しようとする問題点は、タレットパンチプレスでの打ち抜き加工時に起こる、ワークの反りを取り加工が困難である点である。
【課題を解決するための手段】
【０００６】
上記の問題を解決するため本発明は、ストリッパープレートに突起部を設け抜き打ち加工のワークのストリッピングの際に、てこの原理を利用することによりワークの反り取り加工が可能となることを最も主要な特徴とする。
【発明の効果】
【０００７】
本発明の反り取り機能付ストリッパープレートを使用することにより、抜き打ち加工後のワークの反り取り加工の手間と労力を減少することが可能であり、反り取り加工にかかる経費の大幅削減と加工コストの低減化に寄与できるという優れた効果を奏するものである。
【発明を実施するための最良の形態】
【０００８】
ストリッパープレートに抜き打ち穴の長手方向両端に突起物を設け、抜き打ち加工時のパンチを引き抜く際に突起物の高さの分だけできたスペースの分てこの原理を利用しワークを引き上げ、抜き打ち加工する際のワーク内部の応力を打ち消すように作用するよう構成し、上記目的を最小の部品点数で実現した。
【実施例】
【０００９】
図１および図２を参照するに本発明である反り取り機能付ストリッパープレート１は、突起部２を備えるように構成される。
【００１０】
図３を参照するに抜き打ち加工時のパンチを引き抜く際に突起物の高さの分だけできたスペースの分、てこの原理を利用しワークを引き上げ、抜き打ち加工する際のワーク内部の応力を打ち消すように作用する。
【産業上の利用可能性】
【００１１】
本発明である反り取り機能付ストリッパープレートを備えておくことにより、タレットパンチプレスでの抜き打ち加工後の反り取り加工にかかる手間や労力を減少することが可能となることにより、経費および加工コストの低減化を達成できるようになるものである。
【図面の簡単な説明】
【００１２】
【図１】本発明である反り取り機能付ストリッパープレートの図面代用写真である。
【図２】本発明を金型に取り付けた状態の斜視図の図面代用写真である。
【図３】本発明の実施状態の断面図である。
【符号の説明】
【００１３】
１    反り取り機能付ストリッパープレート
２    突起部
３    金型
４    パンチ
５    ワーク
６    ダイ
【図３】
2008188623.tif 000003
【図１】
2008188623.tif 000004
【図２】
2008188623.tif 000005
(57)【要約】【目的】敷き材に長時間水分を保持させ又透水機能も有る敷き材を安価に生産する事に関する。【構成】成形上型に長、短二種類のピンを設け案内板と連結棒の作用により一サイクルで出来ることお特徴とする。【選択図】図１
2008188978.tif 000002
【特許請求の範囲】
【請求項１】
コンクリ−ト舗装材に多数の穴を明ける成形型枠の上型に長ピン〔６〕と短ピン〔５〕をホルダ−〔２ト３〕に一体化した成形型枠
【発明の詳細な説明】
【産業上の利用分野】
【０００１】本発明はコンクリ−ト舗装材に透水用と貯水用両機能を持った舗装材の成形型枠に関する
【背景技術】
【０００２】従来の舗装材は貯水機能と透水機能の両機能を有する舗装材の製造技術もなく貯水用と透水用の両機能を持つた商品がない。
【発明が解決しようとする課題】
【０００３】従来にない貯水用と透水用の両機能を有した敷き材を効率よく生産出来る技術よく生産出来る技術と安価な商品を提供出来る事を目的する。
【課題を解決するための手段】
【０００４】上記目的を達成するために舗装材の中に貯水用の穴と透水用の穴を明けるために長短のピンを〔２ト３〕のホルダ−に固定して成形材の中に挿入して穴をあける挿入時にピンの先端が所定の位置を保持出来る案内板〔１〕を設ける。案内板は成形材の中からピンを抜く時にピンに成形材が付着するのお防ぐ作用もある。ピンが抜き終わったらピンの先端と案内板の底面が一致するよう〔７〕の連結材で調整する。
【作用】
【０００５】上記のように多数のピンで穴を明ける場合はピンの位置を正確に決める必要がある、その為にピンの先端にピンの位置ずれを解消する為に案内板〔１〕が有りピンが滑らかに成形材の中に挿入される。又ピンを成形材から引き上げる場合にピンに成形材が固着して引きあがるのお防ぐ事も出来るピンの引き上げには二段に引き上がるように〔７〕の連結材が〔２〕のホルダ−に固定されており〔３〕のホルダ−に引っ掛かり引き抜かれる〔７〕の連結材の作用でピンの長、短、が調整されて引き抜きが終わった時点でピンの先端面と案内板の底面が一致する事を目的に連結材を設けている一致した底面により上型全体で成形品をシリンダ−（９）で脱形することが出来る。
【実施例】
【００６】本発明の穴明け型は穴明けコンクリ−ト、レンガを量産出来る事に有る上部のフレ−ムと上型の間に穴明け用のシリンダ−〔８〕と加圧及び脱形用としてシリンダ−〔９〕を設ける貫通用のピン〔６〕はホルダ−〔３〕に固定して貯水用ピン〔５〕はホルダ−〔２〕に固定されている下型〔１０〕に骨材〔１２〕を入れてシリンダ−〔８〕とシリンダ−〔９〕を同時に下降させて所定の位置に移動させる〔２図〕に示す、この時点で〔２図〕に示す通り骨材〔１２〕にピンが挿入されて加圧されるその後シリンダ−〔８〕によりピンを骨材より抜いて案内板〔１〕の底面とピンの先端面を一体平面にして固定するピンの先端面と案内板の底面を一致させる為に連結棒〔７〕が設けてありシリンダ−〔８〕によりホルダ−〔３〕を引き上げると連結棒〔７〕がホルダ−〔３〕に引っ掛かりホルダ−〔２〕を引き上げる連結棒の長さを調節して長、短のピンの先端が同じになるようにする。次にシリンダ−〔９〕で上型全体を下に降下させて成形品を脱形する〔３図に示す〕以上を一サイクルとして生産する。
【発明の効果】
【０００７】本発明はコンクリ−ト、レンガの透水及び貯水機能を持たせたコンクリ−ト、レンガを安価に量産出来ることにある舗装用敷き材に貯水及び透水の機能を持たせた敷き材で施行すれば地球のヒ−トアイランド防止に又住居の環境改善に大きくきよします。
【図面の簡単な説明】
【図１】成形型の一部断面図
【図２】成形型の成形後の一部断面図
【図３】成形型の脱形後の一部断面図
【符号の説明】
［１］案内板                      ［２］貯水用ピンホルダ−［３］貫通用ピンホルダ−          ［４］上型固定板［５］貯水用ピン                  ［６］貫通用ピン［７］連結棒                      ［８］穴明け用シリンダ−［９］圧縮用シリンダ−            ［１０］下型［１１］成形品受け板              ［１２］骨材
【図１】
2008188978.tif 000003
【図２】
2008188978.tif 000004
【図３】
2008188978.tif 000005
(57)【要約】      （修正有）【課題】これまでの書籍は、昼間には容易に読むことが出来ても、夕方以降は光線量が減少するために、特に高齢者にとっては読みにくいことが多かった。昼間であっても、光線量の少ない場所においては、やはり同様であった。これらの問題を解決する方法を提供する。【解決手段】蛍光インクや夜光インク等、化学反応等によって発光するインクや、蓄光インク等の光を蓄えて発光するインク、又は、光の反射率の高いインクを、書籍の全部又は主要部分の文字の印刷に使用する。又は、文字が印刷される用紙自体を蛍光紙、夜光紙、蓄光紙とする。【選択図】なし【特許請求の範囲】
【請求項１】
書籍中の文字の全部又はその主要部分が、蛍光インク、夜光インク、蓄光インク、又は反射インクで印刷されていることを特徴とする書籍。
【請求項２】
書籍中の文字が印刷されている部分の全部又はその主要部分が、蛍光紙、夜光紙、蓄光紙で構成されていることを特徴とする書籍。
【発明の詳細な説明】
【産業上の利用分野】
【０００１】  本発明は、文字を蛍光インク、夜光インク、蓄光インク、又は反射インクで印刷することによって、光線量の少ない場所や時間帯においても、高齢者にとって読みやすくした書籍である。
【背景技術】
【０００２】  これまでの書籍は、昼間には容易に読むことが出来ても、夕方以降は光線量が減少するために、特に高齢者にとっては読みにくいことが多かった。昼間であっても光線量の少ない場所においては同様であった。これらの問題を解決する方法としては文字を大きくするという方法がある。しかし、文字を大きくすれば一冊の書籍の情報量が減少してしまうか、書籍が大部になってしまうという欠点があった。
【発明が解決しようとする課題】
【０００３】  そこで、書籍のサイズや情報量はそのままで、しかも、夕方以降の光線量が減少する時間帯や光線量の少ない場所でも、高齢者が書籍の文字を容易に解読できるようにする必要がある。
【課題を解決する為の手段】
【０００４】  蛍光インクや夜光インク等、化学反応等によって発光するインクや、蓄光インク等の光を蓄えて発光するインク、又は、光の反射率の高いインクを、書籍の全部又は主要部分の文字の印刷に使用する。又は、文字が印刷される用紙自体を蛍光紙、夜光紙、蓄光紙とする。こうすることによって、高齢者にとっては、夕方以降の光線量が減少する時間帯や、光線量の少ない場所でも書籍の文字を容易に解読できるようになる。しかも、書籍の情報量が減少してしまうとか、書籍が大部になってしまうという問題もない。確かに、蛍光インク等で文字、図形、絵等を衣類や書籍の表紙等の書籍の一部分に印刷することは従来にもあった。しかし、それはいずれも文字自体を解読し易くするためではなく、商品としての衣類や書籍を目立たせるためのものに過ぎず、したがって、書籍の文字の全部ないしは主要部分が蛍光インク等で印刷されることは無かった。
【作用】
【０００５】  本発明は、以上説明したように構成されるので、高齢者は夕方以降の光線量の減少した時間帯や光線量の少ない場所でも書籍に印刷された文字を容易に解読することが出来る。又、書籍の情報量が減少したり、書籍が大部になることもない。
(57)【要約】【課題】環境によっては従来の大きさのデータホルダーが使えないという不都合を解決すること。【解決手段】書類等を固定させるための羽１、書類等を誘導するための曲がりの有る羽２、羽１の形状を１つのデータホルダーとし、それが切り取り溝４をはさんで連続していることで、必要な長さだけ切り取って使用できる、加えてホルダーそのもの構造が単純で軽量な為、取り付けに接着剤もしくは両面テープ等３を使用することで必要な場所に容易に貼り付けて使用できることで課題を解決する。【選択図】図１
2008188980.tif 000002
【特許請求の範囲】
【請求項１】
書類等を固定させ、その書類等を見ながらデータ処理作業等を行う時に用いるデータホルダーにおいて、書類等を誘導するための曲がりの無い羽１書類等を誘導するための曲がりの有る羽２、羽１、だけで構成された、形状が単純で軽量なデータホルダー。
【請求項２】
書類等を固定させるための羽１、羽２、羽１の形状を１つのデータホルダーとし、それが切り取り溝４をはさんで連続して繋がっており、必要な長さだけ溝で切り取って使用できる請求項１記載のデータホルダー。
【請求項３】
取り付けに接着剤もしくは両面テープ等３を使用することにより、必要な場所に貼り付けて使用できる請求項１記載のデータホルダー。
【発明の詳細な説明】
【技術分野】
【０００１】本発明は、データホルダーに関する。
【背景技術】
【０００２】データホルダーにおいては、現在様々な提案がなされている。
【特許文献１】特開２０００−２９３２６４号公報
【特許文献２】特開２００４−０７０９０７号公報
【発明の開示】
【発明が解決しようとする課題】
【０００３】しかし現在様々な提案がなされているデータホルダーにおいては、幅、高さとも大型で、あらゆる環境に適応したものではない。本発明はこのように大型で場所をとり環境によっては使用できないという従来のデータホルダーの不都合を解決することを課題とする。
【課題を解決するための手段】
【０００４】この課題を解決するための請求項１の発明は、書類等を誘導するための曲がりの無い羽１、書類等を誘導するための曲がりの有る羽２、羽１、だけで構成された、データホルダーである。形状が単純なため、素材を選ばず軽量かつ低コストで製造できる。【０００５】また、請求項２の発明は、羽１、羽２、羽１の形状のデータホルダーが、切り取り溝をはさんで連続して繋がっていることを特徴とする、データホルダーである。必要な長さだけ、或いは環境に応じて使用可能な長さだけ溝で切り取って使用することができる。【０００６】また、請求項３の発明は、接着剤もしくは両面テープ等で貼り付けて使用することを特徴とする、データホルダーである。本体の構造が単純で軽量な為、必要な場所に、或いは環境に応じて、接着剤や両面テープ等で貼り付けて使用することができる。
【発明の効果】
【０００７】本発明により、環境に左右されることなく必要な場所に必要な大きさのデータホルダーを使用できる。
【発明を実施するための最良の形態】
【０００８】図１は、書類等を固定させるための羽１、羽２、羽１の形状を１ピッチとし、それが切り取り溝４をはさんで連続しており、必要な長さだけ溝で切り取って使用できることを示した、データホルダーの表面の姿図である。【０００９】図２は取り付けに接着剤もしくは両面テープ等３を使用することにより、必要な場所に貼り付けて使用できることを示した、データホルダーの裏面の姿図である。【００１０】図３は書類等を挟みやすくする為の羽１、及び羽２の形状を示した、データホルダー下側の側面の姿図である。図１、図２に対し、縮尺５：１。【００１１】図４は切り取りやすく施した溝４を示した、データホルダー上側の側面の姿図である。図１、図２に対し、縮尺５：１。【００１２】図５は羽１、羽２、及び溝４の形状を示した、データホルダーの断面図である。図１、図２に対し、縮尺５：１。【００１３】図６は書類５を固定させた状態の表面の姿図である。図１、図２に対し、縮尺５：１。【００１４】この簡易データホルダーの素材はプラスチックやゴム等といった樹脂から、金属、木材などなんでも良いが、できるだけ軽量で低コストのものが望ましい。
【産業上の利用可能性】
【００１５】本発明に係る簡易データホルダーは工業的に量産する事が可能であるため、産業上の利用  可能性を有する。
【図面の簡単な説明】
【００１６】
【図１】データホルダーの表面の姿図である。
【図２】データホルダーの裏面の姿図である。
【図３】データホルダー下側の側面の姿図である。図１、図２に対し、縮尺５：１。
【図４】データホルダー上側の側面の姿図である。図１、図２に対し、縮尺５：１。
【図５】データホルダーの断面図である。図１、図２に対し、縮尺５：１。
【図６】書類５を固定させた状態での、データホルダーの表面の姿図である。図１、図２に対し、縮尺５：１。
【符号の説明】
【００１７】１      書類を挟んだ際、書類の裏側に位置する．曲がりの無い羽。
２      書類を挟んだ際、書類の表側に位置する．曲がりの有る羽。
３      データホルダーを壁面等に貼り付ける為の接着剤もしくは両面テープ等。
４      必要な長さだけ切り取る為に施された切り取り溝。
５      データホルダーに取り付けられた書類。
【図１】
2008188980.tif 000003
【図２】
2008188980.tif 000004
【図３】
2008188980.tif 000005
【図４】
2008188980.tif 000006
【図５】
2008188980.tif 000007
【図６】
2008188980.tif 000008
(57)【要約】【課題】  本発明の目的とするところは、有底のコンクリート桝を工場で製造するに際して内面壁に抜き勾配を付けず、比較的簡単な作業で内周型枠の脱型が行われる型枠構造を提供することを技術的課題とする。【解決手段】  上記課題を解決するための技術的手段は、コンクリート桝の開口面を下とし、この面を作業用定盤に載置すべくなし、角型桝であれば該作業用定盤は四角とし、その各辺にヒンジで開閉する外周型枠片を構成し、該作業用定盤略中央部に抜き勾配を有する内周型枠を直立させ、更に、該内周型枠の抜き勾配と内周で一致し、外周は抜き勾配のない立方体（又は直方体）とするゴム等可撓性材料からなる袋体を内周型枠に着脱自在に被せる構造とするものである。【選択図】図１
2008188979.tif 000002
【特許請求の範囲】
【請求項１】
コンクリート桝の開口面を下とし、この面を作業用定盤に載置すべくなし、角型桝であれば該作業用定盤は四角とし、その各辺にヒンジで開閉する外周型枠片を構成し、該作業用定盤略中央部に抜き勾配を有する内周型枠を直立させ、更に、該内周型枠の抜き勾配と内周で一致し、外周は抜き勾配のない立方体（又は直方体）とするゴム等可撓性材料からなる袋体を内周型枠に被せて脱着自在としたことを特徴とするコンクリート桝を製造する型枠構造。
【請求項２】
内周型枠の底部（図１での頂部）中央に段付き部を設け、該部相当部を切欠いたゴム等可撓性材料からなる袋体を内周型枠に被せて脱着自在としたことを特徴とするコンクリート桝を製造する請求項１の型枠構造。
【請求項３】
ゴム等可撓性材料からなる袋体の外周要部に肉厚部を構成し、内周型枠に被せて脱着自在としたことを特徴とするコンクリート桝を製造する請求項１の型枠構造。
【発明の詳細な説明】
【技術分野】
【０００１】  本発明は、有底のコンクリート桝の内面壁に抜き勾配を付与することなく製造することを得る型枠構造に関わる。
【背景技術】
【０００２】  従来、一般的に製造されるコンクリート桝の内面壁は抜き勾配があるのが普通であり、特殊な例として、当該抜き型を複数に分解可能な入れ子構造として順序に従って抜き、勾配零とする構成があるが、有底構造では実施困難であり、底部形成には特願２００６−８９３４２で示す別個技術等を必要とするもので、脱型、再組立に時間を要する。
【発明の開示】
【発明が解決しようとする課題】
【０００３】  本発明の目的とするところは、有底のコンクリート桝を工場で製造するに際して内面壁に抜き勾配を付けず、比較的簡単な作業で内周型枠の脱型が行われる型枠構造を提供することを解決すべき技術的課題とする。
【課題を解決するための手段】
【０００４】  上記課題を解決するための技術的手段は、コンクリート桝の開口面を下とし、この面を作業用定盤に載置すべくなし、角型桝であれば該作業用定盤は四角とし、その各辺にヒンジで開閉する外周型枠片を構成し、該作業用定盤略中央部に抜き勾配を有する内周型枠を直立させ、更に、該内周型枠の抜き勾配と内周で一致し、外周は抜き勾配のない立方体（又は直方体）とするゴム等可撓性材料からなる袋体を内周型枠に着脱自在に被せるものである。【０００５】  更に、内周型枠の底部（図１での頂部）中央に段付き部を設け、該部相当部を切欠いたゴム等可撓性材料からなる袋体を内周型枠に被せて脱着自在とすることを得るものであり、【０００６】  更に、ゴム等可撓性材料からなる袋体の外周要部に肉厚部を構成し、内周型枠に被せて脱着自在とした構造とするものである。【０００７】  前記外周型枠片を造型状態に組立て、内周型枠との間及び底面を構成する上面にコンクリート材料を注入し、その上面をこて仕上げのうえ養生し、外周型枠片を解放後半製品状のコンクリート塊を脱型すると前記ゴム等可撓性材料からなる袋体はコンクリート塊の中に残置された状態にある。この後該袋体はゴム等可撓性体であるので簡単に取り外すことができ、全作業を完了するものであり、作業前状態に復帰することは簡単である。
【発明の効果】
【０００８】  抜き勾配の影響は以外に大きいものであり、側壁部での上下での厚み差でかなり異なり、抜き勾配をなくすると重量が軽く仕上がるものであり、製造に際して問題となる脱型作業を無理なくこなせるものであり、袋体の底面を切欠くことによりその剛性を低下させてより脱型作業を容易とし、又、袋体の外周要部に肉厚部を構成することにより外形の形状寸法を変えることなく内容積を大とすることを得、壁厚を小とし、更に、有底にすることにより建設現場に於いての面倒な底部成形作業が省略でき、止水性能の確保に資するもので有用性高いものである。
【発明を実施するための最良の形態】
【０００７】  以下、本発明の実施の形態について図面を用いて説明する。図１に於いて１は製品であるコンクリート桝１１の開口部面１２が当接する型枠定盤、２は外周型枠３を矢印ａｂに揺動自在に支承するヒンジ、４は該定盤１の略中央部に外周抜き勾配５を有する内周型枠、６は該内周型枠４の抜き勾配５と内周で一致し、外周は抜き勾配のない立方体（又は直方体）とするゴム等可撓性材料からなる着脱自在の袋体、１３は該コンクリート桝１１の有底部、１４は底面を示すもので、出来た製品はこの状態で倒立している。図２は脱型直後のコンクリート桝１２を示すものでこの状態ではまだ袋体６が残置されており、この後脱去して作業完了とするものである。次に、図３、図４で応用例をを示すもので、７は内周型枠４の底部に設けた外側に出る段部、８は該段部７で排除された袋体６の切欠き部、９は袋体６の外側面に形成した肉厚部、１５はコンクリート桝１１の肉薄部を示すものである。
【図面の簡単な説明】
【０００８】
【図１】本発明を実施した型枠の組立状態を示す正面断面図。
【図２】図１より型枠を脱型した本発明のコンクリート桝の一部断面斜視図。
【符号の説明】
【０００９】１、  型枠定盤
２、  ヒンジ
３、  外周型枠
４、  内周型枠
５、  外周抜き勾配
６．  袋体
７．  段部
８．  切欠き部
９．  肉厚部
１１、コンクリート桝
１２、コンクリート桝の開口部面
１３、コンクリート桝の有底部
１４、底面
１５．肉薄部
【図１】
2008188979.tif 000003
【図２】
2008188979.tif 000004
【図３】
2008188979.tif 000005
【図４】
2008188979.tif 000006
【手続補正書】
【提出日】平成19年6月22日(2007.6.22)
【手続補正１】
【補正対象書類名】明細書
【補正対象項目名】０００８
【補正方法】変更
【補正の内容】
【０００８】
【図１】本発明を実施した型枠の組立状態を示す正面断面図。
【図２】図１より型枠を脱型した本発明のコンクリート桝の一部断面斜視図。
【図３】図１に対する応用例構造での型枠の組立状態を示す正面断面図。
【図４】図３に対して更なる応用例構造での型枠の組立状態を示す正面断面図。
(57)【要約】【課題】印刷機内に印刷用ロール紙を引き込むための装置の新式の引込み先端部を提供すること。【解決手段】本発明は、印刷機内に、詳しくは輪転印刷機内に印刷用ロール紙を引き込むための装置の引込み先端部であって、特にチェーンとして形成される引っ張り要素を組み込むためのロープ(18)と、平面要素(11)とを備えており、平面要素(11)が少なくとも部分的にロープ(18)に巻き付き、かつロープと結合している引込み先端部に関する。本発明によれば、平面要素(11)はフッ素ゴムから形成され、ロープ(18)はフッ素ゴムから成る平面要素(11)と加硫によって固定結合される。【選択図】図3
2008188990.tif 000002
【特許請求の範囲】
【請求項１】
印刷機内に、詳しくは輪転印刷機内に印刷用ロール紙を引き込むための装置の引込み先端部であって、特にチェーンとして形成される引っ張り要素を組み込むためのロープと、平面要素とを備えており、前記平面要素が少なくとも部分的にロープに巻き付き、かつ該ロープと結合している引込み先端部において、
前記平面要素(11)がフッ素ゴムから形成されること、ならびに前記ロープ(18)がフッ素ゴムから成る前記平面要素(11)と加硫によって固定結合されることを特徴とする引込み先端部。
【請求項２】
前記平面要素(11)が、フッ化炭化水素重合物から形成されることを特徴とする請求項1に記載の引込み先端部。
【請求項３】
前記ロープ(18)が、少なくとも1本のスチールワイヤから形成されることを特徴とする請求項1または2に記載の引込み先端部。
【請求項４】
前記ロープ(18)に少なくとも部分的に巻き付くことによって形成される前記平面要素(11)の重なり領域(19)が、熱に強い繊維から成る糸(20)で縫合されることを特徴とする請求項1から3のいずれか一項または複数項に記載の引込み先端部。
【発明の詳細な説明】
【技術分野】
【０００１】
本発明は、印刷機内に、詳しくは請求項1の前段部に基づく輪転印刷機内に印刷用ロール紙を引き込むための装置の引込み先端部に関する。
【背景技術】
【０００２】
特許文献１から、印刷機内に印刷用ロール紙を引き込むための装置が知られており、この装置は、ローラチェーンとして形成される引っ張り要素に固定された引込み先端部を有している。この引込み先端部はロープを備えており、このロープに、伝動体を介してローラチェーンを固定することができる。さらに引込み先端部は平面要素を備えており、この平面要素は少なくとも部分的にロープに巻き付いており、ロープと平面要素が結合している。この現況技術によれば、ロープと結合している平面要素は裂けにくい繊維織物から形成されており、その際、ロープと平面要素が接着によって、詳しくは接着テープによって結合している。
【０００３】
現況技術から既知の引込み先端部が、印刷機の高温になっているユニットを通って移動する場合、引込み先端部のロープと平面要素の結合が剥がれる危険がある。このため、高温に対する抵抗力が強い引込み先端部が必要である。
【特許文献１】独国実用新案第9215764.5号明細書
【発明の開示】
【発明が解決しようとする課題】
【０００４】
したがって本発明は、印刷機内に印刷用ロール紙を引き込むための装置の新式の引込み先端部を作製するという問題を基礎とする。
【課題を解決するための手段】
【０００５】
この問題は、請求項1に基づく引込み先端部によって解決される。本発明によれば、平面要素はフッ素ゴムから形成され、ロープはフッ素ゴムから成る平面要素と加硫によって固定結合する。
【０００６】
本発明の意味において、平面要素をフッ素ゴムから形成すること、ならびにロープをフッ素ゴムから成る平面要素と加硫によって固定結合させることを提案する。これにより、特に熱に強い引込み先端部が提供される。
【０００７】
本発明の好ましい変形形態は、従属請求項および以下の説明から明らかである。本発明の例示的実施形態を図面に基づきより詳しく説明するが、これに制限されるものではない。
【発明を実施するための最良の形態】
【０００８】
図1は、印刷機内に印刷用ロール紙を引き込むための装置の引込み先端部10の概略図を示している。引込み先端部10は、基本的に2つの平面要素11および12から形成されており、これらの平面要素は区間13内で互いに結合している。区間13内での両方の平面要素11、12の結合は、接着テープを介して行うことが好ましい。
【０００９】
平面要素12は、特に引き込むべき印刷用ロール紙を掴む働きをし、このために平面要素12は、端部14に一対の頭頂部15を有しており、これらの頭頂部の間で、引き込むべき印刷用ロール紙を掴むことができる。両方の頭頂部15は磁気フィルムを含むことが好ましく、それにより磁気によって互いに引き付け合う頭頂部15の間で、引き込むべき印刷用ロール紙を掴むことができる。平面要素12の端部14と頭頂部15の結合もまた、接着テープ16を介して行うことが好ましい。
【００１０】
引込み先端部10の平面要素11は、引込み先端部10を、好ましくはローラチェーンとして形成される引っ張り要素に繋ぎ止める働きをする。このために平面要素11の端部17に、ロープ18が割り当てられている。好ましくはチェーンとして形成される引っ張り要素は、例えば特許文献１から既知の種類および方法で、ロープ18に組み込まれる。
【００１１】
本発明の意味において、引込み先端部10の平面要素11は、フッ素ゴムから、特にフッ化炭化水素重合物から形成される。ロープ18は、少なくとも1本のスチールワイヤから形成される。ロープ18はフッ素ゴムから成る平面要素11と加硫によって固定結合される。平面要素11の材料と、平面要素11とロープ18の特殊な結合の組合せにより、その区間が特に熱に強い引込み先端部10が提供される。このため熱作用によって引込み先端部10の平面要素11とロープ18の結合が剥がれる危険がない。
【００１２】
フッ素ゴムから成る平面要素11は少なくとも部分的にロープ18に巻き付いており、その際、図3に基づく平面要素11の重なり領域19が形成される。この重なり領域19において、平面要素11の重なった区間が、好ましくは熱に強い繊維の糸20で互いに縫合される。
【図面の簡単な説明】
【００１３】
【図１】印刷機内に印刷用ロール紙を引き込むための装置の本発明による引込み先端部の側面図である。
【図２】図1に基づく引込み先端部の細部IIを示す図である。
【図３】図2の切断線III-IIIに沿った引込み先端部の断面図である。
【符号の説明】
【００１４】
10    引込み先端部
11    平面要素
12    平面要素
13    区間
14    端部
15    頭頂部
16    接着テープ
17    端部
18    ロープ
19    重なり領域
20    糸
【図１】
2008188990.tif 000003
【図２】
2008188990.tif 000004
【図３】
2008188990.tif 000005
(57)【要約】【課題】定規を２つ使って線を引くことは、引きぬくい。直線定規、三角定規、分度器、と数があるとじゃまになる。【解決手段】直線定規、三角定規、分度器、を一体化させることによって全てを解決するものである。【選択図】図１
2008188981.tif 000002
【特許請求の範囲】
【請求項１】
直線定規、三角定規、三角定規の中に分度器の機能を備え一体化させたものである。
【発明の詳細な説明】
【技術分野】
【０００１】本発明は、製図作成における直線定規、三角定規、分度器に関する物である。
【背景技術】
【０００２】従来の物においては、直線定規、三角定規、分度器、それぞれが１つ１つになっていたため図面作成中の用紙の下に入りさがすこともあり、机の上にひろがり邪魔になることもあった。【０００３】三角定規２つ使って線を引く場合に三角定規２つを片手で押さえて、あいた片手で線を引く為、線を引くほうの手に気持を取られ押さえていた定規がずれて真直ぐに引くことの出来ない時があった、これを改良するために考案された物である。
【発明の開示】
【発明が解決しようとする課題】
【０００４】直線定規、三角定規、分度器、が１つ１つばらばらの為、邪魔になることもあり、又三角定規２つ使って線を引くときに定規を押さえそこない真直ぐに線を引くことの出来ない事もあった、これらを解決する物である。
【課題を解決する為の手段】
【０００５】直線定規Ａに三角定規をＢを取り付け、三角定規Ｂの中に分度器Ｃの機能を取り付ける。
【発明の効果】
【０００６】三角定規２つ使って線を引くとき、又は片手で分度器を押さえ角度をあわせて印をつけるとき、線を引くほうの手に意識が行きすぎて押さえていたはずの三角定規、分度器が動いてしまう為、線が印が動いてしまう、本発明はこれらをこれらを無くすことの出来るものである。
【発明を実施する為の最良の形態】
【０００７】以下、本発明の実施形態を図面に基づき説明する。
【０００８】図１のように、直線定規Ａに三角定規Ｂを取り付け、又三角定規Ｂの中に分度器Ｃの機能を備えるという今までにない斬新なアイデアーである。分度器は半円形でなければならないようなイメージがあるが、起点１から放射状に２，３，４，５，６，と三角形の辺まで線を伸ばせば分度器としての役目は十分はたすことの出来る、又、起点１から放射状に直線定規の辺まで７，８，９の，線を伸ばせば分度器としての機能を果す優れものとなる、図１が本発明の全体像である。
【実施例】
【０００９】図２のように、線１０に対して直角の線１１，１２，を引くにはＢを押さえて線１０にそって本発明をスライドさせれば簡単にしかも平行線として引くことが出来る、図３のように三角定規２つを片方の手で押さえて線１０があったとしても、押さえた手の力加減が悪いと１３，１４，の線のようになり直角はおろか平行線も引けない、又、分度器は図４のように手で分度器を押さえると、分度器のメモリが見えぬくくなる欠点が出来るが、本発明を使用すればＡの部分を動かして起点１に合わせて押さえれば分度器全部のメモリを見ることが出来る。
【産業上の利用の可能性】
【００１０】本発明を使用すれば仕事もしやすく、又便利であるから市場性に優れ産業上の利用価値も高い。
【図面の簡単な説明】
【００１１】
【図１】  本発明の全体図である。
【図２】  本発明を使用した場合。
【図３】  従来のやり方を示した図である。
【図４】  従来の分度器の使い方を示した図である。
【符号の説明】
【００１２】Ａ      直線定規
Ｂ      三角定規
Ｃ      分度器
１、    分度器の起点
２、３、４、５、６、７、８、９、分度器の起点より放射状に伸びた線を表す。
１０、  図２、図３を説明する為の線である。
１１、１２、１３、１４、本発明を使用した場合と使用しなかった場合の線をあらわす。
【図１】
2008188981.tif 000003
【図２】
2008188981.tif 000004
【図３】
2008188981.tif 000005
【図４】
2008188981.tif 000006